(57)【要約】【課題】従来の角締金具は、前提として、コーナー部の一方と他方の水平端太に均等なコンクリート打設圧力がかかる場合にしか使用できず、実用的ではない点を解消する。【解決手段】角締金具１は、対をなす（角締金具１Ａ，１Ｂの）各々に、端太を挿入する挿入部１Ａａと、この挿入部１Ａａの高さ方向の一端部に設けられ、該挿入部１Ａａの端太挿入方向の一端側でかつ該挿入部１Ａａに近い位置に枢支孔１Ａｃ及び該挿入部１Ａａの端太挿入方向の他端側でかつ該挿入部１Ａａから遠い位置に角締孔１Ａｄが形成された結合部１Ａｂと、この結合部１Ａｂと挿入部１Ａａとに亘って設けられた補強部１Ａｅとを具備し、さらに、対をなす一方の結合部１Ａｂの裏面と他方の結合部１Ｂｂの表面とを重ねたときに、枢支孔１Ａｃ，１Ｂｃに挿入する枢支部材Ｙと、角締孔１Ａｄ，１Ｂｄに挿入する角締部材Ｗと、を備えている。【選択図】図１
2010261172.tif 000002
【特許請求の範囲】
【請求項１】
コーナー部を構築する際に該コーナー部の外側の型枠を支持するための一方及び他方の端太を互いに固定するための角締金具であって、対をなす各々に、端太を挿入する筒状の挿入部と、この挿入部の高さ方向の一端部に設けられ、前記挿入部の端太挿入方向の一端側でかつ該挿入部に近い位置に枢支孔及び前記挿入部の端太挿入方向の他端側でかつ該挿入部から遠い位置に角締孔が形成された平坦状の結合部と、この結合部と前記挿入部とに亘って設けられた補強部とを具備し、さらに、対をなす一方の前記結合部の裏面と他方の前記結合部の表面とを重ねたときに、前記枢支孔に挿入する枢支部材と、前記角締孔に挿入する角締部材と、を備えたことを特徴とする角締金具。
【発明の詳細な説明】
【技術分野】
【０００１】
本発明は、空間内に角部分が露出したコーナー部をコンクリートにより構築する際に用いる型枠を、簡単かつ確実に水平端太により固定支持するための角締金具に関するものである。
【背景技術】
【０００２】
コンクリートにより構造体を構築するには、コンクリートを打設するまでに現場において、当該構造体の形状となるように型枠を配置する必要がある。型枠は、例えば壁面を構築する場合、対向状に型枠を配置し、該型枠間に、セパレータと称する型枠同士の緊結用鋼材を設けてコンクリートの打設圧力により型枠間が開いたり（又はコンクリート打設前に型枠間が閉じたり）しないようにする。端太は、型枠の外側に設けて、互いの端太を固定したり外部から支持することで、型枠をさらに固定する。
【０００３】
上記の壁面のように、型枠間にセパレータを設けることのできる構造体の場合は、該セパレータと端太により確実に型枠を固定することができるが、空間内に角部分が露出するような、例えば壁面の端部同士により構成されるコーナー部では、型枠の固定が容易ではない。
【０００４】
その理由は、例えば、直角のコーナー部を構築する場合で説明すると、型枠は上記のとおりコーナー部においても外側と内側とに対向状に配置するが、コーナー部の「外側」を構成すべく一方と他方から設けた直交する両型枠の各々の端部においては、壁面の厚み分だけ、これら外側の両型枠の端部と対向する内側の型枠が存在せず、よって、セパレータを設けることができないのである。
【０００５】
なお、コーナー部の「内側」を構成する一方と他方から設けた直交する両型枠の各々の端部においては、これら内側の両型枠の端部と対向する外側の（コーナー部に至るまでの）型枠が存在するので、セパレータを設けることができる。
【０００６】
したがって、コーナー部だけはセパレータを用いた通常の型枠の固定をせず、専ら端太を用いたいわゆる角締という固定手法によって型枠を固定する。角締は、概ね、型枠の外側において、コーナー部へ向かう一方と他方から水平端太を該コーナー部において上下交差させて設け、この交差部分の外側に垂直端太を設け、この垂直端太をターンバックル付のチェーンや線状鋼材により一方と他方から均等に引っ張るというものである。
【０００７】
上記角締手法によれば、垂直端太が一方と他方から引っ張ることで、コーナー部の外側の一方と他方の型枠を開こうとするコンクリート打設時に打設圧力に抗して、該垂直端太のコーナー部の外側方向への移動が禁止されるので、コーナー部の外側における一方と他方の型枠が固定される（角締めが行われる）のである。
【０００８】
ところが、上記の角締手法は、垂直端太を一方と他方から均等に引っ張るようにしなければならず、また、均等に引っ張ろうとしても一方と他方から同時に行おうとすれば最低でも作業者が２人要し、さらに作業者１人で行おうとすると狭い現場において一方と他方を何回も往復して調整しつつ行う必要があるなど、手間や時間などがかかるという問題があった。
【０００９】
そこで、以下の特許文献１及び２では、上記の角締手法の問題を解決すべく、コーナー部の外側で交差状に設けた一方と他方の水平端太を互いに固定するように構成とされた角締金具が提案されている。
【先行技術文献】
【特許文献】
【００１０】
【特許文献１】特開平１１−２９３９１６号公報
【特許文献２】実公平７−６３５２号公報
【００１１】
特許文献１には、下面及びこの下面と隣接する２側面が開放され、開放されていない対向する２側面の下部にくさび型の留め具を挿入する孔が形成された第１の支持部と、この第１の支持部の開放された２側面のうちの一方側面と隣接した上面に垂直状に延設されると共にこの延設部の該上面とは反対の端部において鉤状部が形成された第２の支持部と、を一体的に備えた角締金具が示されている。
【００１２】
特許文献１の角締金具は、一方と他方の水平端太のうち下に位置する（例えば一方の）水平端太を第１の支持部の開放空間に挿入し、上に位置する（例えば他方の）水平端太を第２の支持部の鉤状部に係合させ、第１の支持部の開放されていない２側面の孔に留め具を挿入することで、コーナー部で交差する一方と他方の水平端太を互いに固定するものである。
【００１３】
特許文献２には、直線状の本体枠と、この本体枠の両端に、本体枠の直線方向と平行でかつ該直線方向の端部にピンが挿入可能な孔が形成された３枚の面により上下２段の嵌合部が形成され、該本体枠に対して４５°の角度で互いに外側に開くように各々設けられた枠部材と、本体枠の直線中央に螺合部材を螺入するねじ孔と、該螺合部材によってコーナー部に設けた垂直端太を（コーナー部における内側へ）押す当金と、を有した角締金具が示されている。
【００１４】
特許文献２の角締金具は、一方の枠部材の上段の嵌合部にコーナー部における一方の水平端太を、他方の枠部材の下段の嵌合部にコーナー部における他方の水平端太を挿入し、嵌合部における孔にピンを挿入して、一方と他方の水平端太が該嵌合部から飛び出さないようにし、そのうえで当金を垂直端太に当てて、本体枠の直線中央に螺合部材を螺入して当金を介して垂直部材を押圧することで、コーナー部で交差する一方と他方の水平端太を互いに固定するものである。
【００１５】
しかしながら、特許文献１の角締金具は、第１の支持部の一方の水平端太は留め具を挿入することで長手方向の移動は規制されるが、第２の支持部の他方の水平端太が長手方向に自由に移動可能であるため、コーナー部の一方の水平端太にコンクリートの打設圧力がかかると、つまり不均等な力が生じると第２の支持部における他方の水平端太が移動してしまい、型枠を固定できないという問題がある。
【００１６】
なお、特許文献１には上記構成の他に第２の支持部の鉤上部の上面に形成された孔から他方の水平端太にピンを嵌入する構成が示されているが、この場合は、他方の水平端太に、角締め作業毎に孔を開ける必要があり、手間であるといった問題がある。
【００１７】
また、特許文献２の角締金具は、直線状の本体枠の中央でコーナー部の内側に向けて螺合部材を螺入すると、一方と他方の枠部材の嵌合部における水平端太に対して均等にコンクリートの打設圧力がかかっている場合は螺合部材と水平端太との接触により各々の長手方向の移動は規制される。
【００１８】
しかし、特許文献２の角締金具も、特許文献１と同様に不均等に力がかる場合や、螺入部材が過度に螺入された場合は、一方と他方の水平端太においてかかる不均等な力が顕著に現れ、結果的に、不均等なコンクリート打設圧力や角締金具の取り付けの不具合に起因して水平端太が移動してしまい、型枠を確実に固定できないという問題がある。
【発明の概要】
【発明が解決しようとする課題】
【００１９】
解決しようとする問題点は、特許文献１及び特許文献２の角締金具は、前提として、コーナー部の一方と他方の水平端太に均等なコンクリート打設圧力がかかる場合にしか使用できず、コーナー部を構築する状況下で、そのように均等なコンクリート打設圧力がかかることは皆無といって良いほど存在せず、実用的ではないという点である。
【課題を解決するための手段】
【００２０】
本発明の角締金具は、上記問題点を解決するために、コーナー部を構築する際に該コーナー部の外側の型枠を支持するための一方及び他方の端太を互いに固定するための角締金具であって、対をなす各々に、端太を挿入する筒状の挿入部と、この挿入部の高さ方向の一端部に設けられ、前記挿入部の端太挿入方向の一端側でかつ該挿入部に近い位置に枢支孔及び前記挿入部の端太挿入方向の他端側でかつ該挿入部から遠い位置に角締孔が形成された平坦状の結合部と、この結合部と前記挿入部とに亘って設けられた補強部とを具備し、さらに、対をなす一方の前記結合部の裏面と他方の前記結合部の表面とを重ねたときに、前記枢支孔に挿入する枢支部材と、前記角締孔に挿入する角締部材と、を備えることとした。
【発明の効果】
【００２１】
本発明の角締金具は、対をなす各々の、挿入部に端太を挿入し、一方の結合部の裏面と他方の結合部の表面とを重ね、重ねた結合部において連通する枢支孔に枢支部材を挿入し、角締部材を角締孔に挿入して、コーナー部を構成する一方及び他方の端太を固定する。
【００２２】
枢支孔に挿入する枢支部材は、コーナー部の外側における型枠を介して、一方の端太を他方の端太の長手方向に外側へかかる力、他方の端太を一方の端太の長手方向に外側へかかる力、をそれぞれ、一方及び他方の端太のコーナー部側の端部の回転運動に変換する。
【００２３】
例えば、一方の端太にかかる不均等な力は、角締部材が角締孔に挿入されていない場合は、枢支部材を中心に、コーナー部の外側の角度を大きくする方向へ回転する運動に変換されることとなり、このとき、一方の端太のコーナー部の端部が、他方の端太のコーナー部とは反対の端部側に傾斜した状態になろうとする。この作用により、コーナー部の外側を構成する一方の型枠のコーナー部の端部は他方の型枠との接合方向に傾斜状に移動しようとする。
【００２４】
そして、角締孔に角締部材を挿入すと、一方又は他方の端太に不均等な力がかかっても、枢支部材を中心にコーナー部側の端部が回転することがなく、したがって、例え不均等な力がかかっても、上記のようにコーナー部の外側を構成する一方の型枠のコーナー部の端部が他方の型枠との接合方向に傾斜状に移動することがない反面、一方の型枠がコーナー部の外側に開こうとすることも禁止される。
【００２５】
つまり、本発明の角締金具は、一方と他方に均等であれ不均等であれ、コンクリートの打設圧力により型枠を外側に開こうとするコーナー部における端太の直線的運動が、枢支部材を中心としたコーナー部の外側において角締力を発揮する回転運動に変換されるが、その回転運動を角締部材により禁止するから、過度に角締めが行われることも、型枠が開くこともなく、適切な状態で確実に角締めが行えるのである。
【図面の簡単な説明】
【００２６】
【図１】図１は本発明の角締金具であり、（ａ）は全体斜視図、（ｂ）は分解斜視図である。（実施例１）
【図２】図２（ａ）〜（ｆ）は本発明の角締金具の一方を、図１のＡ〜Ｆ方向から見た図である。（実施例１）
【図３】図３は本発明の角締金具に用いられる角締部材であり、（ａ）は正面を、（ｂ）は側面を、各々示す図である。（実施例１）
【図４】図４は本発明の角締金具の使用手順を示し、コーナー部における型枠設置状況を説明するための図である。（実施例１）
【図５】図５は本発明の角締金具の使用手順を示し、本発明の角締金具に端太を挿入した状況を説明するための図である。（実施例１）
【図６】図６は本発明の角締金具の使用手順を示し、端太を挿入した本発明の角締金具のコーナー部に配置した状況を説明するための図である。（実施例１）
【図７】図７は本発明の角締金具の使用手順を示し、本発明の角締金具に枢支部材及び角締部材を設る状況を説明するための図である。（実施例１）
【図８】図８は本発明の角締金具の使用手順を示し、本発明の角締金具により角締めが行われる状況を説明するための図である。（実施例１）
【図９】図９は本発明の角締金具の作用を説明するための図である。（実施例１）
【図１０】図１０は本発明の角締金具の他の使用状況を説明するための図である。（実施例２）
【発明を実施するための形態】
【００２７】
本発明は、従来ではコーナー部の一方と他方の端太に均等なコンクリート打設圧力がかかる場合にしか使用できなかった点を、端太の互いの長手方向への移動を枢支部材を中心とした角締力を発揮する回転運動に変換し、かつこの回転運動を角締部材により禁止するようにしたので、端太にかかる力が均等であっても不均等であっても、確実かつ適切に型枠を端太により固定することができる。
【実施例１】
【００２８】
本発明の角締金具について、図１〜図９を参照した実施例１と、図１０を参照した実施例２により説明する。実施例２は、実施例１と同じ構成については同じ参照符号を付して重複する説明は省略することとする。
【００２９】
角締金具１は、図４に示すような空間内に角部分が露出するように壁面の端部同士で構成されるコーナー部Ｘを構築する際に、該コーナー部Ｘの外側の型枠Ｔ１，Ｔ２を支持するための一方及び他方の水平な端太Ｐ１，Ｐ２（以下、水平端太Ｐ１，Ｐ２という）を互いに固定するためのものである。なお、総称する場合は、型枠Ｔ、水平端太Ｐと記すこととする。
【００３０】
角締金具１は、対をなした同一構成の角締金具１Ａ，１Ｂとからなる。以下、総称して説明する場合には角締金具１という。以下、構成を説明するうえで、一方の角締金具１Ａを用いて説明する。一方の角締金具１Ａは、一方の水平端太Ｐ１を挿入するための挿入部１Ａａを有する。挿入部１Ａａは、本例の場合、一方の水平端太Ｐ１が角筒状のものを用いるため、同様に各筒状とされている。挿入部１Ａａの内面寸法は、水平端太Ｐ１の外面寸法より若干大きくしている。こうすることで、水平端太Ｐ１の挿入作業性が向上する。
【００３１】
また、角締金具１Ａは、挿入部１Ａａの高さ方向の一端部、例えば図１で示す状態では下端部において、該挿入部１Ａａの端太挿入方向の全域に平坦状の結合部１Ａｂが設けられている。結合部１Ａｂは、本例では、例えば挿入部１Ａａの挿入方向の長さで等しい４辺でなる正方形とされている。
【００３２】
結合部１Ａｂの面には、挿入部１Ａａの一方の水平端太Ｐ１の挿入方向の一端側でかつ該挿入部１Ａａに近い位置の隅部分に枢支孔１Ａｃが形成され、また、挿入部１Ａａの一方の水平端太Ｐ１の挿入方向の他端側でかつ該挿入部１Ａａから遠い位置の隅部分に角締孔１Ａｄが形成されている。つまり枢支孔１Ａｃと角締孔１Ａｄは、結合部１Ａｂにおける対角位置に各々形成されていることになる。
【００３３】
枢支孔１Ａｃには枢支部材としてのボルトＹが挿入され、角締孔１Ａｄには角締部材としての図３に示すくさびＷが挿入される。くさびＷは、一先端部からしだいに幅が広がる傾斜部Ｗａと、傾斜部Ｗａの最大幅広部を超えた部位において若干幅が狭くされたロック部Ｗｂが幅方向両端部に形成されている。
【００３４】
さらに、角締金具１Ａは、結合部１における角締孔１Ａｄが形成された側の挿入部１Ａａと直交する辺の縁部と、該挿入部１Ａａの高さ方向全域に、補強部１Ａｅを設けている。この補強部１Ａｅは、挿入部１Ａａの結合部１Ａｂが設けられていない高さ方向の端部にかかる力を支持して、該挿入部１Ａａが該結合部１Ａｂに対して変形しないように補強するためのものである。
【００３５】
なお、上記のとおり、他方の型枠Ｔ２を支持する他方の水平端太Ｐ２に設ける角締金具１Ｂの構成は、角締金具１Ａと同様に、挿入部１Ｂａ、結合部１Ｂｂ、枢支孔１Ｂｃ、角締孔１Ｂｄ、補強部１Ｂｅを有する。
【００３６】
そして、角締金具１Ａと角締金具１Ｂは、例えば角締金具１Ａに対して角締金具１Ｂを表裏反転させて、それぞれの挿入部１Ａａ，１Ｂａを設けた結合部１Ａｂ，１Ｂｂの辺を直交させ、かつ枢支孔１Ａｃ，１Ｂｃと、角締孔１Ａｄ，１Ｂｄとが合致し連通するように重ね合わせて使用する。
【００３７】
上記構成の角締金具１の使用例を図４〜図７を用いて説明する。図４に示すように、コーナー部Ｘを構成すべく内側と外側に型枠Ｔを配置する。図４〜図７においては、外側の型枠Ｔについてのみ一方と他方とを区別すべく型枠Ｔ１（一方）、型枠Ｔ２（他方）としている。
【００３８】
内側の型枠Ｔと外側の型枠Ｔ１，Ｔ２において、コーナー部以外の直線部位については、セパレータＳを設けて内側の型枠Ｔｉと外側の型枠Ｔ１，Ｔ２を固定する。本例におけるコーナー部Ｘの内側は、図４のようにセパレータＳで固定している。
【００３９】
一方、コーナー部の外側における型枠Ｔ１，Ｔ２の互いが接合する端部は、図４のようにセパレータＳを設けることができないので、本発明の角締金具１を用いる。図５に示すように、一方の型枠Ｔ１を支持する一方の水平端太Ｐ１に一方の角締金具１Ａの挿入部１Ａａを、同様に、他方の型枠Ｔ２を支持する他方の水平端太Ｐ２に例えば本例では一方の角締金具１Ａに対して表裏反転させた他方の角締金具１Ｂの挿入部１Ｂａを、各々挿入する。
【００４０】
次に、図６に示すように、角締金具１Ａ，１Ｂをコーナー部Ｘにおける互いの水平端太Ｐ１，Ｐ２の交差部位に近づけつつ、結合部１Ａｂ，１Ｂｂにおける枢支孔１Ａｃ，１Ｂｃ及び角締孔１Ａｄ，１Ｂｄの位置合わせを行う。
【００４１】
上記、図６の際、まず、枢支孔１Ａｃ，１Ｂｃの位置合わせができたら、その段階で図７に示すようにボルトＹを裸入し、不具合がないことが確認されたならば、ボルトＹにナット（参照番号無）を裸着し、結合部１Ａｂ，１Ｂｂを介した角締金具１Ａ，１Ｂを仮固定する。
【００４２】
図７において、角締金具１Ａ，１Ｂを仮固定した後、角締金具１Ａ，１Ｂの連通状態にある角締孔１Ａｄ，１Ｂｄに向けてくさびＷを挿入することで、図８に示すように、コーナー部Ｘにおける型枠Ｔ１，Ｔ２が、水平端太Ｐ１，Ｐ２により支持されて本固定されることとなる。
【００４３】
ここで、本発明の角締金具１の作用について図９を用いて説明する。図９には、例えばコーナー部Ｘにおけるコンクリート打設圧力が一方の型枠Ｔ１＞他方の型枠Ｔ２といったように不均等で、かつくさびＷを角締孔１Ａｄ，１Ｂｄに挿入していない場合を説明している。なお、２点鎖線は理解が容易なように誇張して示している。
【００４４】
図９において、コーナー部Ｘにおいて一方の型枠Ｔ１にかかる、これを開こうとする力Ｆ１は、一方の水平端太Ｐ１を、他方の水平端太Ｐ２の長手方向に沿ってコーナー部Ｘの端部に向かって移動させようとする。このとき、一方の水平端太Ｐ１のコーナー部Ｘの端部は、（くさびＷを挿入していないので）ボルトＹを中心に該端部がコーナー部Ｘの外側の角度から大きくなる方向（＞９０°）に回転しようとする。
【００４５】
上記一方の水平端太Ｐ１のコーナー部Ｘの端部の回転は、一方と他方の水平端太Ｐ１，Ｐ２の交差部位の内側において、２点鎖線で示すように、一方の型枠Ｔ１のコーナー部Ｘの端部が他方の型枠Ｔ２の該コーナーとＸとは反対の端部へ傾斜するように作用する。これにより、一方の型枠Ｔ１＞他方の型枠Ｔ２の場合は、不均等に大きな力のかかる一方の型枠Ｔ１を、他方の型枠Ｔ２側へ向かわせることになる。
【００４６】
上記条件下において図９（ａ）における一方の型枠Ｔ１で生じる作用は、一方の水平端太Ｐ１のコーナー部Ｘと反対の端部が固定されていることや、一方の型枠Ｔ１のコーナー部Ｘを除く部位がセパレータＳにより固定されているので、誇張した２点鎖線のように現れることはないが、くさびＷを挿入していないとすれば、一方の型枠Ｔ１が他方の型枠Ｔ２との接合方向に移動しようとする力がかかり、コーナー部Ｘにおける一方の型枠Ｔ１が開かないように角締めが行えることは確実である。
【００４７】
そして、くさびＷを角締孔１Ａｄ，１Ｂｄに挿入すること、及び補強部１Ａｅ，１Ｂｅにより一方及び他方の水平端太Ｐ１，Ｐ２の端部の回転によって挿入部１Ａａ，１Ｂａが動くことがないこと、により、一方の型枠Ｔ１＞他方の型枠Ｔ２の状況下でボルトＹを中心とした一方の水平端太Ｐ１のコーナー部Ｘにおける端部が回転しようとしても、この回転が許容されることはない。
【００４８】
したがって、本発明の角締金具１は、均等な力がかかっていても、また、不均等な力がかかったとしても（２点鎖線で示すように）型枠Ｔが傾斜することはない反面、型枠Ｔが開く方向に傾斜することもなく、結果として、確実かつ適切に、一方と他方の水平端太Ｐ１，Ｐ２によってコーナー部Ｘの外側の型枠Ｔ１，Ｔ２を固定できるのである。
【実施例２】
【００４９】
図１〜図９では壁面により構成されるコーナー部Ｘが空間に露出した状況で説明したが、本発明の角締金具１は、図１０に示すように、例えば角柱状の柱を構築する型枠Ｔを水平端太Ｐによって固定支持する場合に使用しても好適である。
【００５０】
図１０では、紙面左右方向の水平端太Ｐが、紙面上下方向の水平端太Ｐより紙面手前に位置しているので、図１〜図９で示した角締金具１は、紙面左上と紙面右下のコーナー部Ｘにおいてはそのまま使用可能である。
【００５１】
図１０における紙面右上と紙面左下のコーナー部Ｘにおける角締金具１’は、角締金具１Ｂ’を代表して角締金具１Ａ’で説明すると、補強部１Ａｅ’を図１で示した角締金具１Ａの平坦部１Ａａにおける補強部１Ａｅとは挿入部１Ａａの水平端太Ｐ１の挿入方向とは反対の端部に設け、かつ枢支孔１Ａｃ’と角締孔１Ａｄ’を図１で示した角締金具１Ａの枢支孔１Ａｃ及び角締孔１Ａｄとは平坦部１Ａａにおける別の対角線上に位置する構成とする。
【００５２】
上記角締金具１Ａ’と同構成とした角締金具１Ｂ’を用いることで、図１０における紙面右上と紙面左下のコーナー部Ｘにおいても、角締めが行えることとなり、よって、角締金具１と併せて、角柱状の柱をコンクリートにより構築する場合の型枠Ｔを水平端太Ｐにより固定支持することができる。
【符号の説明】
【００５３】
１  １’角締金具
１Ａ  １Ａ’角締金具（対をなす一方）
１Ａａ  挿入部
１Ａｂ  結合部
１Ａｃ  １Ａｃ’  枢支孔
１Ａｄ  １Ａｄ’  角締孔
１Ａｅ  １Ａｅ’  補強部
１Ｂ  １Ｂ’  角締金具（対をなす他方）
１Ｂａ  挿入部
１Ｂｂ  結合部
１Ｂｃ  １Ｂｃ’  枢支孔
１Ｂｄ  １Ｂｄ’  角締孔
１Ｂｅ  １Ｂｅ’  補強部
Ｙ  ボルト（枢支部材）
Ｗ  くさび（角締部材）
Ｘ  コーナー部
Ｔ  型枠
Ｔ１  型枠（コーナー部の外側を構成する一方）
Ｔ２  型枠（コーナー部の外側を構成する一方）
Ｐ  水平端太
Ｐ１  水平端太（一方）
Ｐ２  水平端太（他方）
Ｓ  セパレータ
【図１】
2010261172.tif 000003
【図２】
2010261172.tif 000004
【図３】
2010261172.tif 000005
【図４】
2010261172.tif 000006
【図５】
2010261172.tif 000007
【図６】
2010261172.tif 000008
【図７】
2010261172.tif 000009
【図８】
2010261172.tif 000010
【図９】
2010261172.tif 000011
【図１０】
2010261172.tif 000012